(57)【特許請求の範囲】
【請求項１】
ドライヤー本体（１）の吹出口（８）に吹出ノズル（１１）が装着されており、
吹出ノズル（１１）が、内側ノズル（２１）と外側ノズル（２２）とで２重筒状に構成されており、
内側ノズル（２１）および外側ノズル（２２）の前側のノズル開口のそれぞれに、複数の山形の収束片（２４・３２）が周回状に形成されており、
収束片（２４・３２）の先端の山部（２４ａ・３２ａ）と、隣接する山部（２４ａ・３２ａ）の間に形成される谷部（２４ｂ・３２ｂ）とが、交互に、かつ周方向へ等間隔おきに形成してあり、
内側ノズル（２１）と外側ノズル（２２）とは相対回転可能に構成されており、
内外の両ノズル（２１・２２）を相対回転操作して、吹出ノズル（１１）の形態を、内側ノズル（２１）の収束片（２４）と外側ノズル（２２）の収束片（３２）とが内外に重さなる拡散姿勢と、内側ノズル（２１）の収束片（２４）と外側ノズル（２２）の収束片（３２）とが周方向へ隣接する収束姿勢とに切り換えることができるヘアードライヤ。
【請求項２】
内側ノズル（２１）と外側ノズル（２２）のそれぞれが、断面円形の筒基部（２３・３１）と、筒基部（２３・３１）に連続してノズル先端へ向かって突設される収束片（２４・３２）とで構成されており、
筒基部（２３・３１）および収束片（２４・３２）のうち、少なくとも収束片（２４・３２）がノズル先端へ向かって先すぼまり状の壁で形成してある請求項１に記載のヘアードライヤ。
【請求項３】
内側ノズル（２１）の収束片（２４）の山部（２４ａ）の先端位置と、外側ノズル（２２）の収束片（３２）の山部（３２ａ）の先端位置とが、吹出ノズル（１１）の筒軸中心と直交する垂直平面に位置させてある請求項１または２に記載のヘアードライヤ。
【請求項４】
ドライヤー本体（１）の吹出口（８）から吹出ノズル（１１）の先端までの距離をノズル長（Ｌ）とするとき、
内側ノズル（２１）の収束片（２４）の谷部（２４ｂ）の底位置と、外側ノズル（２２）の収束片（３２）の谷部（３２ｂ）の底位置のそれぞれが、ノズル長（Ｌ）の略半分の位置に位置させてある請求項１から３のいずれかに記載のヘアードライヤ。
【請求項５】
内側ノズル（２１）の収束片（２４）と外側ノズル（２２）の収束片（３２）とを同形に形成し、吹出ノズル（１１）を拡散姿勢にした状態において収束片（２４・３２）が内外に近接ないし密着させてある請求項１から４のいずれかに記載のヘアードライヤ。
【請求項６】
内側ノズル（２１）の収束片（２４）と外側ノズル（２２）の収束片（３２）との形成個数が同じで、両収束片（２４・３２）が同形で同大に形成してある請求項１から５のいずれかに記載のヘアードライヤ。
【請求項７】
内側ノズル（２１）がドライヤー本体（１）の吹出口（８）に連結されており、
内側ノズル（２１）に連結した外側ノズル（２２）が、内側ノズル（２１）で回転自在に支持してある請求項１から６のいずれかに記載のヘアードライヤ。
【請求項８】
内側ノズル（２１）の筒基部（２３）に設けた連結筒（２５）が、ドライヤー本体（１）の吹出口（８）の外周面に設けた筒状の連結部（１２）に圧嵌係合されており、
外側ノズル（２２）の筒基部（３１）の開口内面に設けた連結爪（３３）が、内側ノズル（２１）の筒基部（２３）の外面に設けた連結溝（２６）に圧嵌係合されて、外側ノズル（２２）が内側ノズル（２１）で回転自在に支持されており、
内側ノズル（２１）の連結溝（２６）に、外側ノズル（２２）の連結爪（３３）と係脱する節度体（３６）が設けてある請求項７に記載のヘアードライヤ。
【請求項９】
ドライヤー本体（１）の筒状の連結部（１２）に臨んで、ドライヤー本体（１）の後方へ向かって凹む回止め凹部（１６）が設けられており、
内側ノズル（２１）の連結筒（２５）の開口縁に、前記回止め凹部（１６）と係合する回止め片（２８）が膨出形成されており、
内側ノズル（２１）の連結筒（２５）を、ドライヤー本体（１）の連結部（１２）に連結した状態において、回止め片（２８）を回止め凹部（１６）で回動不能に受け止めてある請求項７または８に記載のヘアードライヤ。
【請求項１０】
内側ノズル（２１）の厚み寸法が、外側ノズル（２２）の厚み寸法より小さく設定してある請求項１から９のいずれかに記載のヘアードライヤ。
【発明の詳細な説明】
【技術分野】
【０００１】
本発明は、吹出ノズルを備えているヘアードライヤー、なかでも形態を切り換えることにより吹出風の状態を収束し、あるいは拡散できる吹出ノズルに関する。
【背景技術】
【０００２】
この種のヘアードライヤーは、例えば特許文献１に公知である。そこでは、ドライヤー本体の吹出口に吹出ノズルを装着し、吹出ノズルの内部にシャッター筒を配置している。吹出ノズルの筒周壁の左右には噴出口が開口してあり、シャッター筒の筒壁にも同様の通気窓が開口してある。シャッター筒を回転操作して、噴出口をシャッター筒で塞いだ状態では、吹出風を吹出ノズルの先端部分からのみ収束した状態で吹き出すことができる。シャッター筒をさらに回転操作して、通気窓を噴出口に臨ませた状態では、吹出ノズルの先端部分と、左右の噴出口との双方から、吹出風を拡散した状態で吹き出すことができる。
【０００３】
特許文献２においては、吹出ノズルをドライヤー本体の吹出口に対して偏心回転させて、吹出風の状態を変更できるようにしている。詳しくは、ドライヤー本体の吹出口の偏心位置で吹出ノズルの回転軸を軸支し、吹出ノズルをモーター動力で回転駆動することにより、吹出ノズルを回転軸の周りに偏心回転させて、吹出風の一部を広い範囲にわたって吹き出すようにしている。
【先行技術文献】
【特許文献】
【０００４】
【特許文献１】特開平０５−１３０９１５号公報（段落番号００１３〜００１４、図３）
【特許文献２】特公昭５８−１１８７１１号公報（第２頁左下欄１７行〜第２頁右欄７行、第１図）
【発明の概要】
【発明が解決しようとする課題】
【０００５】
特許文献１のヘアードライヤーによれば、シャッター筒で吹出ノズルの噴出口を開閉することにより、吹出風を収束する状態と、拡散する状態とに変更できる。しかし、吹出風を吹出ノズルの筒壁の両側に開口した噴出口から送出するので、噴出口から送出された吹出風が髪に向かって直進しにくく、そのため乾燥風の一部が不必要に拡散して無駄になりやすい。
【０００６】
また、特許文献２のヘアードライヤーの場合には、吹出ノズルを偏心回転させて、ドライヤー本体の吹出口から送出される乾燥風の一部を、吹出ノズルを介して送出する。しかし殆どの場合、吹出ノズルの入口がドライヤー本体の吹出口に対して位置ずれした状態になる。そのため、乾燥風の殆どはドライヤー本体の吹出口から直接送出されることになり、偏心回転する吹出ノズルによる乾燥風の拡散を効果的に行なえない。また、乾燥風を収束した状態で送出することもできない。
【０００７】
本発明の目的は、ドライヤー本体の吹出口から送出される乾燥風を効果的に収束し、あるいは効果的に拡散できる吹出ノズルを備えたヘアードライヤーを提供することにある。
本発明の目的は、吹出ノズルを収束姿勢と拡散姿勢とに変更するための構造を簡素化し、さらに吹出ノズルの姿勢変更操作を簡便化できるヘアードライヤーを提供することにある。
【課題を解決するための手段】
【０００８】
本発明に係るヘアードライヤは、ドライヤー本体１の吹出口８に吹出ノズル１１を装着する。吹出ノズル１１の先端のノズル開口に、複数の山形の収束片２４・３２を周回状に形成する。収束片２４・３２の先端の山部２４ａ・３２ａと、隣接する山部２４ａ・３２ａの間に形成される谷部２４ｂ・３２ｂとは、交互に、かつ周方向へ等間隔おきに形成する。
【０００９】
図１に示すように、吹出ノズル１１は、内側ノズル２１と外側ノズル２２とで２重筒状に構成する。内側ノズル２１および外側ノズル２２の前側のノズル開口のそれぞれに、複数の山形の収束片２４・３２を周回状に形成する。内側ノズル２１と外側ノズル２２とは相対回転可能に構成する。内外の両ノズル２１・２２を相対回転操作して、吹出ノズル１１の形態を、内側ノズル２１の収束片２４と外側ノズル２２の収束片３２とが内外に重さなる拡散姿勢と、内側ノズル２１の収束片２４と外側ノズル２２の収束片３２とが周方向へ隣接する収束姿勢とに切り換え可能とする。
【００１０】
内側ノズル２１と外側ノズル２２のそれぞれを、断面円形の筒基部２３・３１と、筒基部２３・３１に連続してノズル先端へ向かって突設される収束片２４・３２とで構成する。筒基部２３・３１および収束片２４・３２のうち、少なくとも収束片２４・３２をノズル先端へ向かって先すぼまり状の壁で形成する。
【００１１】
内側ノズル２１の収束片２４の山部２４ａの先端位置と、外側ノズル２２の収束片３２の山部３２ａの先端位置とは、吹出ノズル１１の筒軸中心と直交する垂直平面に位置させる。
【００１２】
ドライヤー本体１の吹出口８から吹出ノズル１１の先端までの距離をノズル長Ｌとするとき、内側ノズル２１の収束片２４の谷部２４ｂの底位置と、外側ノズル２２の収束片３２の谷部３２ｂの底位置のそれぞれを、ノズル長Ｌの略半分の位置に位置させる。
【００１３】
内側ノズル２１の収束片２４と外側ノズル２２の収束片３２とを同形に形成し、吹出ノズル１１を拡散姿勢にした状態において収束片２４・３２を内外に近接ないし密着させる。
【００１４】
内側ノズル２１の収束片２４と外側ノズル２２の収束片３２との形成個数を同じにする。さらに、両収束片２４・３２を同形で同大に形成する。
【００１５】
内側ノズル２１をドライヤー本体１の吹出口８に連結する。内側ノズル２１に連結した外側ノズル２２を、内側ノズル２１で回転自在に支持する。
【００１６】
内側ノズル２１の筒基部２３に設けた連結筒２５を、ドライヤー本体１の吹出口８の外周面に設けた筒状の連結部１２に圧嵌係合する。外側ノズル２２の筒基部３１の開口内面に設けた連結爪３３を、内側ノズル２１の筒基部２３の外面に設けた連結溝２６に圧嵌係合して、外側ノズル２２を内側ノズル２１で回転自在に支持する。内側ノズル２１の連結溝２６に、外側ノズル２２の連結爪３３と係脱する節度体３６を設ける。
【００１７】
ドライヤー本体１の筒状の連結部１２に臨んで、ドライヤー本体１の後方へ向かって凹む回止め凹部１６を設ける。内側ノズル２１の連結筒２５の開口縁に、前記回止め凹部１６と係合する回止め片２８を膨出形成する。内側ノズル２１の連結筒２５を、ドライヤー本体１の連結部１２に連結した状態において、回止め片２８を回止め凹部１６で回動不能に受け止める。
【００１８】
内側ノズル２１の厚み寸法を、外側ノズル２２の厚み寸法より小さく設定する。
【発明の効果】
【００１９】
本発明においては、ドライヤー本体１の吹出口８に装着した吹出ノズル１１の先端に、複数の山形の収束片２４・３２を周回状に形成し、その山部２４ａ・３２ａと谷部２４ｂ・３２ｂとを交互に、しかも周方向へ等間隔に形成した。このように、吹出ノズル１１の先端に山形の収束片２４・３２を周回状に形成すると、誤って頭皮の近傍にノズル開口を位置させた場合であっても、温風の一部を各収束片２４・３２の間の谷部２４ｂ・３２ｂから逃がすことができるので、髪が過熱されて傷むのをよく防止できる。加えて、ノズル開口に配置した山形の収束片２４・３２がデザイン効果を発揮して、吹出ノズル１１のデザイン性を向上できる。
【００２０】
内側ノズル２１と外側ノズル２２とで吹出ノズル１１を２重筒状に構成し、それぞれのノズル開口に収束片２４・３２を設けると、内外の両ノズル２１・２２を相対回転操作することにより、拡散姿勢と収束姿勢とに切り換えることができる。拡散姿勢においては、収束片２４・３２が内外に重さなって、内側ノズル２１の収束片２４のみで吹出ノズル１１内の乾燥風を絞る。また、収束姿勢においては、収束片２４・３２を周方向へ隣接させて、全ての収束片２４・３２で吹出ノズル１１内の乾燥風を絞る。このように、乾燥風に作用する収束片２４・３２の数を大小に変更して送出状態を変更すると、乾燥風を明確に絞り込み、あるいは絞り込み作用を大幅に緩和して、広い範囲にわたって拡散させることができる。したがって、乾燥風を効果的に収束し、あるいは効果的に拡散できる吹出ノズル１１が得られる。
【００２１】
断面円形の筒基部２３・３１と収束片２４・３２とで内外の両ノズル２１・２２を構成し、少なくとも収束片２４・３２をノズル先端へ向かって先すぼまり状に形成すると、両ノズル２１・２２による乾燥風の絞り込みをさらに確実に行なえる。したがって、両ノズル２１・２２を収束姿勢にした場合と、拡散姿勢にした場合とで、乾燥風の送出状態を明確に異ならせて、使用者の使用目的に適合した状態で乾燥風を送出できる。また、両ノズル２１・２２を収束姿勢にした状態においては、乾燥風を的確に収束して、風量が多くしかも指向性の強い乾燥風を髪に送給できる。
【００２２】
内外両ノズル２１・２２の収束片２４・３２の山部２４ａ・３２ａの先端位置を、筒軸中心と直交する垂直平面に位置させると、両ノズル２１・２２を収束姿勢にした状態において、吹出ノズル１１内の乾燥風を各収束片２４・３２で最後まで均等に絞ることができる。したがって、乱れが少なく、しかも指向性の強い乾燥風を髪に吹き付けることができる。
【００２３】
内側ノズル２１の収束片２４の谷部２４ｂの底位置と、外側ノズル２２の収束片３２の谷部３２ｂの底位置のそれぞれを、ノズル長Ｌの略半分の位置に位置させると、拡散姿勢と収束姿勢における乾燥風の状態をさらに明確に異ならせることができる。したがって、乾燥風を広い範囲に拡散送給しながら整髪し、あるいは乾燥風を集中的に収束送給して髪の乾燥を促進するなど、使用目的に適合した状態で乾燥風を送出できる。
【００２４】
内外の収束片２４・３２を同形に形成し、吹出ノズル１１を拡散姿勢にした状態において両収束片２４・３２を内外に近接ないし密着させると、両収束片２４・３２が協同して外力や衝撃力に対抗でき、その分だけ吹出ノズル１１の構造強度を向上できる。とくに、収束片２４・３２が山形や花弁形に形成してある場合には先端部分を欠損しやすいが、両収束片２４・３２の協同作用で外力や衝撃力を受け止めることにより、先端部分の破損や変形をよく防止できる。
【００２５】
内外の収束片２４・３２の形成個数を同じにし、さらに、両収束片２４・３２を同形で同大に形成すると、吹出ノズル１１を拡散姿勢にした場合と収束姿勢にした場合とで、各収束片２４・３２で覆われる面積の差を、概ね１対２と大きな差にすることができる。したがって、各姿勢における乾燥風の状態を明確に異ならせて、使用者の使用目的に適合した状態で乾燥風を送出できる。
【００２６】
内側ノズル２１をドライヤー本体１の吹出口８に連結し、外側ノズル２２を内側ノズル２１で回転自在に支持すると、外側ノズル２２を直接回転操作することにより吹出ノズル１１の姿勢を変更できるので、姿勢変更のための構造を簡素化できる。内側ノズル２１を回転操作する場合には、内側ノズル２１に操作部材を設け、操作部材を外側ノズル２２の外面に露出させる必要があるが、このような構造を省略できるからである。また、外側ノズル２２の任意の部分を掴んで回転操作することにより吹出ノズル１１の姿勢を変更できるので、吹出ノズル１１の姿勢変更を簡便に行なえる。さらに、内側ノズル２１に比べて温風に晒される機会の少ない外側ノズル２２を操作して姿勢を変更するので、熱い思いをすることもなく吹出ノズル１１の姿勢を的確に変更できる。
【００２７】
内側ノズル２１の連結筒２５をドライヤー本体１の連結部１２に圧嵌係合し、外側ノズル２２の連結爪３３を内側ノズル２１の連結溝２６に対して回転自在に圧嵌係合すると、内側ノズル２１を操作するだけで、吹出ノズル１１のドライヤー本体１に対する着脱を容易に行なえる。また、内側ノズル２１を着脱する際に、外側ノズル２２が内側ノズル２１から分離するのを防止して、吹出ノズル１１の装着および取り外し操作を簡便化できる。さらに、内側ノズル２１の連結溝２６に、外側ノズル２２の連結爪３３と係脱する節度体３６を設けることにより、外側ノズル２２を収束姿勢と拡散姿勢において節度体３６で位置決めし、その状態を保持できる。したがって、吹出ノズル１１の姿勢を収束姿勢にし、あるいは拡散姿勢にするときの姿勢の切り換えを常に適正に行なえる。また、ヘアードライヤーの使用時に吹出ノズル１１の姿勢が不用意に切り換わるのを防止して、使用目的に適合した状態で乾燥風を送出できる。
【００２８】
ドライヤー本体１の連結部１２に回止め凹部１６を設け、この回止め凹部１６で内側ノズル２１の連結筒２５に設けた回止め片２８を受け止めると、ドライヤー本体１に装着した吹出ノズル１１が不用意に回転するのを規制できる。また、内側ノズル２１をドライヤー本体１に組み付ける際には、回止め片２８を回止め凹部１６で案内して、吹出ノズル１１の装着姿勢を適正化し位置決めできるので、吹出ノズル１１のドライヤー本体１に対する取り付けをさらに容易に行なえる。
【００２９】
内側ノズル２１の厚み寸法を、外側ノズル２２の厚み寸法より小さく設定すると、温風を送給する使用状態において、常に温風に晒される内側ノズル２１の熱膨張量を小さくできる。したがって、熱膨張した内側ノズル２１の外面が、外側ノズル２２の内面を強圧するのを抑止して、長時間にわたってヘアードライヤーを使用するような場合であっても、外側ノズル２２を円滑に回転操作できる。
【図面の簡単な説明】
【００３０】
【図１】吹出ノズルの縦断側面図である。
【図２】ヘアードライヤの側面図である。
【図３】吹出ノズルの一部を破断した分解側面図である。
【図４】図１におけるＡ−Ａ線断面図である。
【図５】吹出ノズルを拡散姿勢に切り換えた状態の縦断側面図である。
【図６】吹出ノズルを収束姿勢に切り換えた状態の正面図である。
【図７】吹出ノズルを拡散姿勢に切り換えた状態の正面図である。
【図８】図１におけるＢ−Ｂ線断面図である。
【図９】吹出ノズルの別の実施例を示す縦断側面図である。
【図１０】吹出ノズルの別の実施例を示す縦断側面図である。
【図１１】吹出ノズルの別の実施例を示す縦断側面図である。
【図１２】図１１におけるＣ−Ｃ線断面図である。
【図１３】吹出ノズルの別の実施例を示す正面図である。
【図１４】吹出ノズルの別の実施例を示す側面図である。
【図１５】吹出ノズルの別の実施例を示す正面図である。
【図１６】吹出ノズルの別の実施例を示す、平面図、正面図、底面図である。
【図１７】吹出ノズルの別の実施例を示す、右側面図、左側面図、Ｘ−Ｘ線断面図、斜視図である。
【発明を実施するための形態】
【実施例】
【００３１】
図１ないし図８は本発明に係るヘアードライヤの実施例を示す。図２においてヘアードライヤは、横長筒状のドライヤー本体１と、ドライヤー本体１の後部寄り下面に連結されるグリップ２とを備えている。ドライヤー本体１の内部には、軸流型の送風ファン３と、ファン駆動用のモーター４と、送風ファン３から送給される空気を加熱するヒーター５などが配置してある。なお、本発明における前後、左右、上下とは、図２に示す交差矢印と、各矢印の近傍に表記した前後、左右、上下の表示に従う。
【００３２】
グリップ２の前面にはスイッチノブ６が設けてあり、このスイッチノブ６をオフ位置から上向きにスライド操作することにより、第１から第３の各運転モードに切り換えることができる。第１運転モードではモーター４のみを高速駆動して、常温の冷風を送給する。第２運転モードでは、モーター４およびヒーター５を同時に駆動するが、モーター４は半速でさらにヒーター５は半分の熱出力で作動させて、比較的低温で低速の温風を送給する。第３運転モードでは、モーター４を高速駆動し、さらにヒーター５を最大の熱出力で作動させて、高温で高速の温風を送給する。送風ファン３を駆動する状態では、ドライヤー本体１の後端の吸込グリル７から外部空気が吸い込まれ、送風ファン３で加圧されたのち、ドライヤー本体１の前端の吹出口８から吹き出される。この吹出口８に、本発明に係る吹出ノズル１１が着脱自在に装着してある。
【００３３】
ドライヤー本体１は、図４に示すように、左右に分割された右ケース１ａと左ケース１ｂとを接合して構成してある。ドライヤー本体１の前端の吹出口８の外周面には、断面円形の筒壁からなる連結部１２が形成され、連結部１２の後側に、左右ケース１ａ・１ｂの接合状態を保持する規制リング１３が外嵌してある。吹出口８の内面の後寄りには、金属板材を打ち抜き形成した吹出グリル１４が配置してある。連結部１２の周面には、後述する内側ノズル２１を装着するための連結溝１５が周回状に形成してある。また、規制リング１３の前縁の左右には、ドライヤー本体１の後方へ向かって凹むＶ字状の回止め凹部１６が形成してある。
【００３４】
吹出ノズル１１は、先の連結部１２に装着される内側ノズル２１と、内側ノズル２１の外面に装着される外側ノズル２２とで２重筒状に構成する。図３に示すように、内側ノズル２１は、断面が円形の筒基部２３と、筒基部２３の前側のノズル開口に突設される３個の収束片２４と、筒基部２３の後に連続して設けられる連結筒２５とを一体に備えたプラスチック成形品からなる。
【００３５】
筒基部２３および収束片２４は、ノズル先端へ向かって先すぼまり状の湾曲壁で形成してあり、その最大の直径位置は、筒基部２３の後端、つまり連結筒２５との隣接部付近に位置させてある。これにより、吹出口８から内側ノズル２１の内部へ送出された乾燥風は、筒基部２３と３個の収束片２４によって絞り込まれて収束する。３個の収束片２４はそれぞれ花弁状に形成してあり、先端の山部２４ａと、隣接する山部２４ａの間に形成される谷部２４ｂとが、交互に連続し、しかも周方向へ等間隔おきに隣接する状態で形成してある。
【００３６】
筒基部２３の連結筒２５との隣接隅部には、外側ノズル２２を連結するための連結溝２６が周回状に形成してあり、連結筒２５の内面には先の連結溝１５と係合する連結リブ２７が周回状に形成してある。連結筒２５の後縁に連続して、左右一対の回止め片２８が後ろ向きに膨出してある。回止め片２８の外形形状は、先の回止め凹部１６の形状に一致させてある。
【００３７】
外側ノズル２２は、断面が円形の筒基部３１と、筒基部３１の前側のノズル開口に突設される３個の収束片３２とを一体に備えたプラスチック成形品からなる。筒基部３１の内面の３箇所には、先の連結溝２６と係合する３個の連結爪３３が等間隔おきに形成してある。
【００３８】
内側ノズル２１と同様に、外側ノズル２２の筒基部３１および収束片３２は、ノズル先端へ向かって先すぼまり状の湾曲壁で形成してあり、その最大の直径位置は筒基部３１の後端に位置させてある。これにより、外側ノズル２２においては、３個の収束片３２のみが乾燥風を絞り込んで収束する機能を発揮する。３個の収束片３２はそれぞれ花弁状に形成してあり、先端の山部３２ａと、隣接する山部３２ａの間に形成される谷部３２ｂとが、交互に連続し、しかも周方向へ等間隔おきに隣接する状態で形成してある。収束片３２は、内側ノズル２１の収束片２４と同形で同大に形成してある。
【００３９】
外側ノズル２２を内側ノズル２１に外嵌し、その連結爪３３を内側ノズル２１の連結溝２６に圧嵌係合することにより、両ノズル２１・２２を相対回転可能な状態で一体化できる。この状態の、内側ノズル２１の連結筒２５を吹出口８の周囲の連結部１２に外嵌し、回止め片２８を回止め凹部１６に係合しながら、連結リブ２７を連結溝１５に圧嵌係合することにより、吹出ノズル１１をドライヤー本体１と一体化できる。
【００４０】
回止め片２８および回止め凹部１６は、吹出ノズル１１をドライヤー本体１に装着するときの、吹出ノズル１１の装着ガイドとして機能しており、さらに位置決め体として機能している。また、回止め凹部１６および回止め片２８は、外側ノズル２２を回転操作するときに、内側ノズル２１が連結部１２の周りに回転するのを規制する回転規制体として機能する。なお、吹出ノズル１１をドライヤー本体１から取り外す場合には、内側ノズル２１を回転操作することにより、回止め片２８を回止め凹部１６に作用する操作反力でノズル先端側へ押し出して、吹出ノズル１１の分離を容易化できる。
【００４１】
吹出ノズル１１は、外側ノズル２２を回転操作することにより、収束姿勢と拡散姿勢とに切り換えることができる。詳しくは、図５および図７に示すように、内側ノズル２１の収束片２４と外側ノズル２２の収束片３２とが内外に重さなるように外側ノズル２２を回転操作することにより、内側ノズル２１の収束片２４のみを吹出ノズル１１のノズル開口に露出させて拡散姿勢にすることができる。この状態の外側ノズル２２の収束片３２は、内側ノズル２１の収束片２４の外面に密着している。また、外側ノズル２２の筒基部３１は、内側ノズル２１の筒基部２３の外面に常時密着している。常態において筒基部２３・３１および収束片２４・３２が密着していると、両筒基部２３・３１および両収束片２４・３２が協同して外力や衝撃力に対抗するので、その分だけ吹出ノズル１１の構造強度を向上できる。また、常態における筒基部２３・３１および収束片２４・３２が、小さな隙間を介して近接している場合にも、同様の作用を発揮できる。
【００４２】
拡散姿勢においては、吹出ノズル１１に送給された乾燥風の一部が、内側ノズル２１の収束片２４の間の谷部２４ｂから漏れ出る。さらに、収束片２４の内面に沿って案内される乾燥風の一部が収束片２４の外郭線の外へ流出する。その結果、収束片２４で絞られる乾燥風の量は、吹出ノズル１１に送給された乾燥風のごく一部となり、全体として乾燥風を拡散した状態で送出できる。
【００４３】
図１および図６に示すように、内側ノズル２１の収束片２４と外側ノズル２２の収束片３２とが周方向へ隣接するように外側ノズル２２を回転操作することにより、全ての収束片２４・３２を吹出ノズル１１のノズル開口に露出させて収束姿勢にすることができる。収束姿勢においては、内側ノズル２１の収束片２４の間の谷部２４ｂから漏れ出た乾燥風を、外側ノズル２２の収束片３２で案内して、合計６個の収束片２４・３２で乾燥風をノズル先端へ向かって絞ることができる。したがって、吹出口８から送出された乾燥風の大半を、ノズル開口の近傍まで案内し絞り込んで、風量が多くしかも指向性が強い乾燥風を髪に送給できる。
【００４４】
上記のように、外側ノズル２２を収束姿勢と拡散姿勢とにおいて、周方向へ遊動不能に位置保持するために、内外の両ノズル２１・２２の間に節度構造を設けている。図８に示すように、節度構造は、外側ノズル２２の筒基部３１の内面に設けた連結爪３３と、内側ノズル２１の筒基部２３の連結溝２６の周方向２個所に設けた節度凹部（節度体）３６とで構成する。節度凹部３６は、連結溝２６の前後の溝壁と、同溝を前後に横断する一対のリブ３７とで囲まれており、ひとつの連結爪３３が一方のリブ３７を乗り越えて節度凹部３６内へ落とし込み係合することにより、外側ノズル２２を位置保持できる。連結溝２６の周方向２個所に設けた節度凹部３６の中心が挟む角度は６０度である。
【００４５】
上記の節度構造によれば、外側ノズル２２を一方向へ連続して回転操作する場合と、外側ノズル２２を正方向と逆方向へ交互に回転操作する場合のいずれであっても、ひとつの連結爪３３を節度凹部３６に落とし込み係合させて、外側ノズル２２を位置保持できる。
【００４６】
上記のように構成した内側ノズル２１および外側ノズル２２に設けられる各収束片２４・３２のさらに詳細な形状、および形成位置などは以下の通りである。
内側ノズル２１の収束片２４の山部２４ａの先端位置と、外側ノズル２２の収束片３２の山部３２ａの先端位置とは、吹出ノズル１１の筒軸中心と直交する垂直平面に位置させる。このように、内外両ノズル２１・２２の収束片２４・３２の山部２４ａ・３２ａの先端位置を同一平面上に揃えると、外側ノズル２２を収束姿勢にした状態において、吹出ノズル１１内に送給された乾燥風を各収束片２４・３２で最後まで均等に絞ることができる。したがって、乱れが少ない状態の乾燥風を髪に吹き付けることができる。
【００４７】
図１に示すように、ドライヤー本体１の吹出口８から吹出ノズル１１の先端までの距離をノズル長Ｌとするとき、内側および外側の両ノズル２１・２２の谷部２４ｂ・３２ｂの底位置を、ノズル長Ｌの略半分の位置に位置させている。このように、内外両ノズル２１・２２の収束片２４・３２の前後長さをノズル長Ｌの概ね半分に設定すると、外側ノズル２２を拡散姿勢にした場合と、収束姿勢にした場合とで、乾燥風の状態を明確に異ならせることができる。
【００４８】
したがって、乾燥風を広い範囲に拡散送給しながら整髪し、あるいは乾燥風を集中的に収束送給して髪の乾燥を促進するなど、使用者の使用目的に適合した状態で乾燥風を送出できる。因みに、収束片２４・３２の前後長さが、ノズル長Ｌの概ね半分に達しないほど短い場合には、乾燥風を拡散させるのが難しくなる。逆に、収束片２４・３２の前後長さが、ノズル長Ｌの概ね半分を超えて長い場合には、隣接する収束片２４・３２の間から漏れ出る乾燥風の量が多くなり、収束した後の乾燥風の風量が不足しやすい。
【００４９】
内側ノズル２１および外側ノズル２２に形成される各収束片２４・３２の外形および大きさは、同形で同大に形成してある。このように、各収束片２４・３２を同形で同大に形成すると、外側ノズル２２を拡散姿勢にした場合と収束姿勢にした場合とで、各収束片２４・３２で覆われる面積の差を、１対２と大きな差にすることができる。したがって、上記と同様に、各姿勢における乾燥風の状態を明確に異ならせて、使用者の使用目的に適合した状態で乾燥風を送出できる。因みに、各収束片２４・３２の外形および大きさが、大小に異ならせてあると、外側ノズル２２を拡散姿勢にした場合と、収束姿勢にした場合とで、各収束片２４・３２で覆われる面積の差が小さくなり、拡散作用と収束作用のいずれもが中途半端なものとなる。
【００５０】
また、外側ノズル２２を収束状態に切り換えた場合の吹出ノズル１１の先端の開口形状が開花途中の花弁形状となるので、温風の一部を各収束片２４・３２の隣接隙間から逃がすことが可能となる。例えば、吹出ノズルの開口面が平坦である場合には、誤って頭皮の近傍にノズル開口が押し付けられるような場合に、全ての温風が頭皮や髪に吹き付けられる。しかし、上記のように、吹出ノズル１１の先端の開口形状が開花途中の花弁形状にしてあると、温風の一部を各収束片２４・３２の隣接隙間から逃がすことができるので、例えば髪が過熱されて傷むのをよく防止できる。
【００５１】
内側ノズル２１の筒基部２３および収束片２４の厚み寸法を、外側ノズル２２の筒基部３１および収束片３２の厚み寸法より小さく設定する。温風を送給する使用状態においては、内側ノズル２１は常に温風に晒されるが、外側ノズル２２は、収束姿勢にした場合に限って収束片３２が温風に晒される。その結果、温風を送給する使用状態における内側ノズル２１は、外側ノズル２２に比べて高温になる傾向がある。このような使用条件において、内側ノズル２１の筒基部２３および収束片２４の厚み寸法を小さくしておくと、内側ノズル２１の熱膨張量を小さくできる。したがって、熱膨張した内側ノズル２１の外面が、外側ノズル２２の内面を強圧するのを抑止して、長時間にわたってヘアードライヤーを使用するような場合であっても、外側ノズル２２を円滑に回転操作できる。
【００５２】
本発明では、内側ノズル２１と外側ノズル２２とで吹出ノズル１１を構成し、外側ノズル２２の先端に設けた収束片３２の位置を切り換えることにより、乾燥風の送出状態を収束状態と拡散状態に切り換えられるようにした。このように、吹出ノズル１１内の乾燥風に作用する収束片２４・３２の数を大小に変更して送出状態を変更すると、乾燥風を明確に絞り込み、あるいは絞り込み作用を大幅に緩和して、広い範囲にわたって拡散させることができる。したがって、乾燥風を効果的に収束し、あるいは効果的に拡散できる吹出ノズル１１が得られる。また、内側ノズル２１で回転自在に支持した外側ノズル２２を回転操作して、吹出ノズル１１を収束姿勢と拡散姿勢とに切り換えるので、従来のこの種の吹出ノズルに比べて、姿勢変更のための構造を簡素化できる。さらに、吹出ノズル１１の姿勢変更操作を誰もが簡便に行なえる。
【００５３】
図９ないし図１５に吹出ノズル１１の別の実施例を示す。各実施例においては、上記の実施例と異なる部分を主に説明し、同じ部材には同じ符号を付してその説明を省略する。
【００５４】
図９に示す吹出ノズル１１は、内側ノズル２１の収束片２４の前後長さを、外側ノズル２２の収束片３２の前後長さより大きくして、前者収束片２４の山部２４ａを後者収束片３２の山部３２ａよりもノズル先端側へ突出させるようにした。この吹出ノズル１１によれば、先に説明した吹出ノズル１１に比べて、３個の収束片２４の山部２４ａを通る仮想円の直径を小さくして、収束片２４による乾燥風の絞り込み作用を増強できる。
【００５５】
図１０に示す吹出ノズル１１は、内側ノズル２１を本体ケース１と一体に形成して、内側ノズル２１を本体ケース１に連結するための構造を省略し、その分だけヘアードライヤーの製造に要するコストを削減した。また、内側ノズル２１を本体ケース１と一体に形成することにより、内側ノズル２１の構造強度を向上して、落下衝撃などによる内側ノズル２１の連結部分の破損や、外側ノズル２２の円滑な回転機能が損なわれるなどを解消できる。この場合の連結爪３３は、内側ノズル２１と本体ケース１との隣接部に設けた連結溝２６に圧嵌係合する。
【００５６】
図１１および図１２に示す吹出ノズル１１は、内側ノズル２１に設けた操作摘み４２をスライド操作して、外側ノズル２２を固定した状態で、内側ノズル２１の姿勢を収束姿勢と、拡散姿勢に変更できるようにした。そのために、外側ノズル２２の筒基部３１に操作溝４３を形成し、操作摘み４２を操作溝４３を介して外側ノズル２２の外面に露出させるようにした。また、外側ノズル２２の内面に連結リブ４０を周回状に設け、さらに回止め片４１を付加して、外側ノズル２２をドライヤー本体１の連結部１２に連結した。連結状態における回止め片４１は回止め凹部１６で受け止められる。
【００５７】
図１３に示す吹出ノズル１１は、内側ノズル２１における収束片２４の数を４個とし、外側ノズル２２における収束片３２の数を６個とした。内側ノズル２１における収束片２４は、６個の収束片を等間隔おきに設けた場合を想定するとき、直径方向に対向する２個の収束片を省略して、４個の収束片２４を残すようにした。２個の収束片を省略した個所では、収束片２４の谷部２４ｂどうしを繋いで開口縁とするので、内側ノズル２１のノズル先端側の開口量を大きくできる。したがって、外側ノズル２２を拡散姿勢にした状態において、より多くの乾燥風を拡散することができる。なお、図１３は外側ノズル２２の収束片３２を収束姿勢にした状態を示している。
【００５８】
図１４に示す吹出ノズル１１は、内側ノズル２１・および外側ノズル２２のそれぞれを円筒状に形成し、そのノズル先端側に収束片２４・３２を形成した。この場合の吹出ノズル１１は、先に説明した吹出ノズルに比べて、乾燥風の収束機能および拡散機能が低下する。しかし、各収束片２４・３２の前後長さが小さい分だけ乾燥風を最後まで案内できる。したがって、拡散姿勢においてもある程度の収束機能を発揮でき、収束姿勢においてはより広い範囲に乾燥風を送給できる。
【００５９】
図１５に示す吹出ノズル１１は、内側ノズル２１および外側ノズル２２のそれぞれを、断面が楕円状の筒体で構成して、吹出ノズル１１から吹き出される乾燥風を概ね楕円状に絞るようにした。この場合の吹出ノズル１１は、外側ノズル２２を内側ノズル２１に対して着脱することにより、拡散状態と収束状態に切り換えることになる。
【００６０】
図１６および図１７は、吹出ノズルを外側ノズル（あるいは内側ノズル）のみで構成した実施例を示す。そこでは、外側ノズルのノズル開口に５個の収束片を等間隔おきに設け、収束片の谷部の底位置を、ノズル長Ｌの略半分の位置に位置させている。なお、図１６および図１７は、本発明に係るヘアードライヤーを、意匠出願の部分意匠の様式に従って作図したものであって、意匠登録を受けようとする部分は実線で表現された部分であり、意匠登録を受けようとする部分と、その他の部分との境界を一点鎖線で示している。
【００６１】
上記の実施例では、筒基部２３・３１および収束片２４・３２を、ノズル先端へ向かって先すぼまり状の湾曲壁で形成したが、その必要はなく、筒基部２３・３１および収束片２４・３２は、全体としてノズル先端へ向かって先すぼまり状となるテーパー筒状に形成することができる。また、筒基部２３・３１はストレート円筒状に形成して、収束片２４・３２の肉壁のみを先すぼまり形状に形成することができる。
【００６２】
また、上記の実施例では、収束片２４・３２の周方向幅をノズル先端へ向かって徐々に小さくして、収束片２４・３２の展開形状を山形や花弁状などに形成したが、その必要はない。例えば、内側ノズル２１の収束片２４の展開形状を山形や花弁状として、外側ノズル２２の収束片３２の展開形状を、前後方向に等幅の四角形状に形成することができる。あるいは、収束片３２の展開形状をノズル先端へ向かって徐々に広幅とすることができる。
【００６３】
外側ノズル２２の外面に、外側ノズル２２を回転操作するための操作リングや、複数個の操作突起あるいは操作凹部を付加することができる。また、必要があれば、外側ノズル２２を収束姿勢と拡散姿勢の中間位置において節度構造で係合保持することができる。節度体３６は突起で形成することができる。さらに、連結溝２６の３箇所以上に節度体３６を設けることができる。
【符号の説明】
【００６４】
１  ドライヤー本体
８  吹出口
１１  吹出ノズル
１６  回止め凹部
２１  内側ノズル
２２  外側ノズル
２３  筒基部
２４  収束片
２４ａ・３２ａ  山部
２４ｂ・３２ｂ  谷部
２８  回止め片
３１  筒基部
３２  収束片
【図１】
0005495253.tif 000002
【図２】
0005495253.tif 000003
【図３】
0005495253.tif 000004
【図４】
0005495253.tif 000005
【図５】
0005495253.tif 000006
【図６】
0005495253.tif 000007
【図７】
0005495253.tif 000008
【図８】
0005495253.tif 000009
【図９】
0005495253.tif 000010
【図１０】
0005495253.tif 000011
【図１１】
0005495253.tif 000012
【図１２】
0005495253.tif 000013
【図１３】
0005495253.tif 000014
【図１４】
0005495253.tif 000015
【図１５】
0005495253.tif 000016
【図１６】
0005495253.tif 000017
【図１７】
0005495253.tif 000018